(57)【特許請求の範囲】
【請求項１】
配筋施工図の自動作成装置であって、
鉄筋施工に必要な鉄筋施工情報を取得する情報取得手段と、
作図に必要な柱主筋及び梁主筋の配置位置を決定するためのルールからなる定義データを参照する参照手段と、
前記情報取得手段により取得した前記鉄筋施工情報と、前記参照手段により参照した前記定義データとに基づいて、柱の四隅の柱主筋及び梁の四隅の梁主筋の配置位置を設定するとともに他の柱主筋及び他の梁主筋の配置位置を仮設定し、かつ、前記定義データに基づいて、前記仮設定した他の柱主筋と他の梁主筋の配置位置を演算により定める演算手段と、
前記演算手段により定めた柱主筋及び梁主筋の配置位置から作図する作図手段と、を有することを特徴する配筋施工図の自動作成装置。
【請求項２】
コンピュータを用いて、情報取得手段が、鉄筋施工に必要な鉄筋施工情報を取得し、
参照手段が、作図に必要な柱主筋及び梁主筋の配置位置を決定するためのルールからなる定義データを参照し、
演算手段が、前記情報取得手段により取得した前記鉄筋施工情報と、前記参照手段により参照した前記定義データとに基づいて、柱の四隅の柱主筋及び梁の四隅の梁主筋の配置位置を設定するとともに他の柱主筋及び他の梁主筋の配置位置を仮設定し、かつ、前記定義データに基づいて、前記仮設定した他の柱主筋と他の梁主筋の配置位置を演算により定め、
作図手段が、前記演算手段により定めた柱主筋及び梁主筋の配置位置から配筋施工図を作図する、ことを特徴とする配筋施工図の自動作成方法。
【発明の詳細な説明】
【技術分野】
【０００１】
本発明は、コンクリート建造物用の配筋施工図とその自動作成装置と方法に関する。
【背景技術】
【０００２】
コンクリート建造物、例えば、鉄筋コンクリート造、鉄骨鉄筋コンクリート造の建物の建設では、コンクリート内に埋設する鉄筋を加工し所定の位置に組立てる必要がある。以下、かかる鉄筋の加工・組立てを「配筋」又は「鉄筋施工」という。
【０００３】
従来の「配筋」（又は「鉄筋施工」）は、各建築作業所において、「躯体施工図」、構造図面の「柱梁断面配筋図」及び各種仕様書を用いて行なわれていた。しかし、この場合、様々な図面を参照しながら配筋作業を行うため、作業者の熟練度が影響しやすく、要領を得ないと作業が迅速に進められない問題があった。
また、配筋後の配筋検査においても、同様に各種図面や仕様書と比較しながらの検査作業になるので、検査員の熟練度が影響しやすく、要領を得ないと検査が迅速に進められない問題があった。
そこで、躯体施工図や構造図面の柱梁断面配筋図、各種仕様書に基づき、鉄筋の加工・組立て用の「配筋施工図」を予め作成することが提案されている（例えば、特許文献１、２）。
【先行技術文献】
【特許文献】
【０００４】
【特許文献１】特公平７−７６９７５号公報、「配筋設計支援方法」
【特許文献２】特開平１１−８５８２３号公報、「配筋設計支援装置および方法」
【発明の概要】
【発明が解決しようとする課題】
【０００５】
上述した配筋施工図は、鉄筋の加工および配筋作業を行う場合や、配筋検査を行う場合に、複数の関連図面や仕様書を交互に参照することなく、配筋施工図のみを基にして作業を進めることができるので、業務の効率化に寄与する。
【０００６】
しかし、特許文献１の方法は、あらかじめ定められた格子パターンに対応して柱梁仕口部（柱と梁の接合部）の配筋図を作成するものであり、加工、配筋される梁筋の全体の長さ等の情報を得ることはできない。そのため、柱梁仕口部以外の部分は、従来通り、躯体施工図や構造図面の柱梁断面配筋図、各種仕様書等の複数の書類に基づき作業を行うしかなかった。
また、特許文献１の方法は、コンピュータにより概ねの配筋位置を選択するにすぎず、最終的な配筋位置は手入力によるものであり、入力ミスを警告するロジックもないため、人為的ミスが生じる可能性が高い。
【０００７】
一方、特許文献２の手段は、一般仕様に応じて配筋されるもので、最終的にはモニター上で配筋補正するという手作業を必要とする。
また特許文献２の手段は、平面図により柱梁相互の関係も含めて全体の状況を把握できるが、積算用のため、鉄筋の加工、配筋という実作業において、どれだけの長さの鉄筋を、どの場所で接合し、どのように鉄筋を組むかという情報を得ることができない。
また特許文献２の手段は、最終的にはモニター上で配筋補正するという手作業を必要とするため、特許文献１の方法と同様に、人為的ミスが生じる可能性が高い。
【０００８】
そのため、特許文献１，２の手段の場合は、多少手間がかかっても、躯体施工図や構造図面の柱梁断面配筋図、各種仕様書を参照しながら作業した方が良いということになる。
【０００９】
本発明は、上述した問題点を解決するために創案されたものである。すなわち、本発明の目的は、手作業を必要とすることなく作成することができ、かつこれに基づいて熟練度に影響されることなく、鉄筋の加工・組立て及び検査を迅速に行うことができ、これにより配筋の人為的ミスを大幅に低減することができる配筋施工図とその自動作成装置と方法を提供することにある。
【課題を解決するための手段】
【００１０】
参考例によれば、鉄筋施工に必要な鉄筋施工情報を取得する情報取得手段と、作図に必要な定義データを参照する参照手段と、鉄筋施工情報と定義データから作図する作図手段によって自動作成される配筋施工図であって、
柱と梁の全体配置を把握できる平面図からなり、柱と柱の間に掛け渡される梁の長さを算出し、梁主筋同士の継手を設ける位置を明示してある、ことを特徴する配筋施工図が提供される。
【００１１】
参考例の実施形態によれば、梁主筋をカットオフする場合に、柱と柱の間に掛け渡される梁の長さを算出し、どの梁主筋をどの位置でカットオフするかを明示してある。
【００１２】
また、参考例の実施形態によれば、柱、梁の配筋状況が図示されている。
【００１３】
また本発明によれば、配筋施工図の自動作成装置であって、
鉄筋施工に必要な鉄筋施工情報を取得する情報取得手段と、
作図に必要な柱主筋及び梁主筋の配置位置を決定するためのルールからなる定義データを参照する参照手段と、
前記情報取得手段により取得した前記鉄筋施工情報と、前記参照手段により参照した前記定義データとに基づいて、柱の四隅の柱主筋及び梁の四隅の梁主筋の配置位置を設定するとともに他の柱主筋及び他の梁主筋の配置位置を仮設定し、かつ、前記定義データに基づいて、前記仮設定した他の柱主筋と他の梁主筋の配置位置を演算により定める演算手段と、
前記演算手段により定めた柱主筋及び梁主筋の配置位置から作図する作図手段と、を有することを特徴する配筋施工図の自動作成装置が提供される。
【００１４】
さらに本発明によれば、コンピュータを用いて、情報取得手段が、鉄筋施工に必要な鉄筋施工情報を取得し、
参照手段が、作図に必要な柱主筋及び梁主筋の配置位置を決定するためのルールからなる定義データを参照し、
演算手段が、前記情報取得手段により取得した前記鉄筋施工情報と、前記参照手段により参照した前記定義データとに基づいて、柱の四隅の柱主筋及び梁の四隅の梁主筋の配置位置を設定するとともに他の柱主筋及び他の梁主筋の配置位置を仮設定し、かつ、前記定義データに基づいて、前記仮設定した他の柱主筋と他の梁主筋の配置位置を演算により定め、
作図手段が、前記演算手段により定めた柱主筋及び梁主筋の配置位置から配筋施工図を作図する、ことを特徴とする配筋施工図の自動作成方法が提供される。
【発明の効果】
【００１５】
上述した本発明の配筋施工図とその自動作成装置と方法によれば、手作業を必要とすることなく配筋施工図を作成することができるので、作図上の人為的ミスを無くすことができる。
また、配筋施工図に配筋に必要な情報（柱と梁の全体配置、梁主筋同士の継手位置、カットオフ位置、柱、梁の配筋状況、等）が分かりやすく表示されるので、これに基づいて熟練度に影響されることなく、鉄筋の加工・組立て及び検査を迅速に行うことができ、これにより配筋の人為的ミスを大幅に低減することができる。
【図面の簡単な説明】
【００１６】
【図１】柱と梁の位置データの説明図である。
【図２】柱と梁の断面データの説明図である。
【図３】本発明による配筋施工図の自動作成方法の全体フロー図である。
【図４】異なる幅で異なる主筋本数を有する梁が対峙する例を示す図である。
【図５】鉄筋交差部の自動配置の説明図である。
【図６】継手位置、定着長さ等の表示例を示す図である。
【図７】梁の配筋情報の表示例を示す図である。
【図８】配筋施工図の一部の具体例を示す図である。
【図９】配筋施工図全体の具体例を示す図である。
【発明を実施するための形態】
【００１７】
以下、本発明の好ましい実施形態を添付図面に基づいて詳細に説明する。なお、各図において共通する部分には同一の符号を付し、重複した説明を省略する。
【００１８】
本発明の配筋施工図の自動作成装置は、コンピュータを用いて配筋施工図を作成するものである。このコンピュータは、主記憶装置、補助記憶装置、主演算装置、入力装置、出力装置（ＣＲＴやプリンタ）、等を備える。
また、本発明の配筋施工図の自動作成方法は、上述したコンピュータを用いて、情報取得手段（例えば入力装置）により鉄筋施工に必要な鉄筋施工情報を取得し、参照手段により作図に必要な定義データを参照し、演算手段により柱主筋と梁主筋の図示位置を相互の位置関係から演算により定め、作図手段（例えばプリンタ）により鉄筋施工情報と定義データから配筋施工図を作図する。参照手段と演算手段は、例えば主記憶装置（ＲＡＭ）、補助記憶装置、及び主演算装置（ＣＰＵ）により構成される。
【００１９】
本発明により、ある特定のコンクリート建造物を対象とする場合に、鉄筋施工に必要な以下の鉄筋施工情報を用いる。これらの鉄筋施工情報は、入力装置により補助記憶装置に記憶される。
入力装置は、例えばコンピュータのキーボードであるが、別の設計システムによる演算結果として、鉄筋施工情報を補助記憶装置に記憶させてもよい。補助記憶装置は、例えば、ハードディスク、ＲＯＭ、ＦＤ、メモリスティック、等である。
【００２０】
１．  柱、梁の位置データ
図１は、柱と梁の位置データの説明図である。この図に示すように、柱と梁の位置データには、以下のものが含まれる。
（１）柱と梁の配置位置の基準となる「通り芯データ」（以下、「データ１」という）。
通り芯１とは、図１におけるＸ１〜Ｘ４、Ｙ１、Ｙ２の基準線であり、データ１は、Ｘ１〜Ｘ４、Ｙ１、Ｙ２の基準線を定義する図面上の座標データである。
（２）柱２と梁３の「ならびデータ」（データ２）および「柱と梁の通り芯との位置関係データ」（データ３）。
データ２、３は、図１における柱Ｃ４１（４本）、Ｃ４２（４本）と梁Ｇ４１（４本）、Ｇ４２（２本）、Ｇ４３（２本）、Ｇ４４（２本）の位置関係を定義する図面上の座標データである。
【００２１】
２．  柱と梁の断面データ
図２は、柱と梁の断面データの説明図であり、（Ａ）は柱の断面データ、（Ｂ）は梁の断面データを示している。これらの図に示すように、柱と梁の断面データには、以下のものが含まれる。
（１）配置される柱２と梁３に対応する「断面寸法データ」（データ４）。
（２）配置される柱２と梁３に対応する「柱主筋４と梁主筋５の径、本数、断面内配置データ」（データ５）。以下、「柱主筋」とは柱の主鉄筋、「梁主筋」とは梁の主鉄筋を意味する。
３．  柱を構成する「フープ筋の径および配筋間隔」（データ６）および梁を構成する「スタラップ筋の径および配筋間隔」（データ７）
【００２２】
また、配筋施工図を作成する場合、作図に必要な定義データを予め設定する必要がある。この定義データは、配筋位置を決定するための以下のルール（又はアルゴリズム）からなる。これらのルールは、プログラムの一部として予め補助記憶装置に記憶される。
【００２３】
（１）ルール１（四隅の柱主筋の配置ルール、四隅以外の柱主筋の配置ルール）
柱の四隅に柱主筋４を配置する。予め設定するコンクリートのかぶり厚さ等から主筋位置が設定される。
柱の四隅以外の柱主筋４は、均等に配置するように仮領域が設定される。
（２）ルール２（四隅の梁主筋の配置ルール、四隅以外の梁主筋の配置ルール）
梁の四隅に梁主筋５を配置する。予め設定するコンクリートのかぶり厚さ等から梁主筋５の位置が設定される。
梁の四隅以外の梁主筋５は、均等に配置するように仮位置が設定される。
（３）ルール３
柱２と梁３の面が同一面である場合に、当該面に面する隅部の梁主筋５は、四隅の柱主筋４の内側に配置される。
【００２４】
（４）ルール４
柱２に対して対峙する梁主筋５がある場合に、対峙する梁主筋５の本数、ずれなどからどの梁主筋５を連続させるか定義されている。
（５）ルール５（梁が柱部分で交差した場合の梁主筋の配置ルール）
梁が柱部分で交差した場合に、桁方向、梁間方向でどちらの梁主筋５を上段にするか定義されている。具体的には、鉄筋の軸組図を製成するデータから、梁の取付け高さデータを取得し、取付け高さによって判断する。取付け高さの指定がない、あるいは間違って重なる場合には、桁方向の主筋を上にするなどのルールが定められている。
（６）ルール６（柱主筋４と梁主筋５が交差する場合の配置ルール）
柱主筋４と梁主筋５が交差する場合に、梁主筋５の中心と柱主筋４の中心を比較し、柱主筋４をずれのある方にずらすように定義されている。
（７）ルール７（梁主筋５の本数が減少する場合のルール）
梁主筋５の本数が減少する場合に、どの梁主筋５をカットオフ（分断）するかが定義されている。
【００２５】
さらに、配筋施工図を作成する場合、以下の作図上のルール（作図ルール）を予め設定する必要がある。この作図ルールは、熟練度に影響されることなく、鉄筋の加工・組立て及び検査を迅速に行うための図面上の表示ルールからなる。これらのルールは、プログラムの一部として予め補助記憶装置に記憶される。
【００２６】
（８）ルール８（梁主筋５の配筋状態表示ルール）
上、下と表示し、上段筋５の本数、下段筋５の本数を表示することが定義されている。
（９）ルール９（梁主筋５の継手位置表示ルール）
どの位置に梁主筋５の継手を設けるかが定義されている。
（１０）ルール１０
柱主筋４と梁主筋５の本数、径、あばら筋、スタラップ筋の径、配筋間隔を表示するルールが定義されている。
【００２７】
図３は、本発明による配筋施工図の自動作成方法の全体フロー図である。この図にしめすように、本発明の配筋施工図の自動作成方法は、Ｓ１〜Ｓ１１の各ステップからなる。なおこの図では、上述した鉄筋施工情報は、予め補助記憶装置に記憶されているものとする。
【００２８】
以下、各ステップを説明する。
ステップＳ１では、取得した「通り芯データ」により、通り芯の位置が作図される。
ステップＳ２では、柱、梁の「ならびデータ」および「柱と梁の取り合いデータ」、「柱、梁の断面寸法データ」により柱、梁の外形平面図が作成される。
以上のステップＳ１、Ｓ２により、図１に示したような柱と梁の位置と大きさを示す図（以下、「芯線図」という）が作成される。
なお、本発明による配筋施工図（芯線図を含む）は、各ステップ毎に出力装置（ＣＲＴやプリンタ）に出力してもよいが、コンピュータの記憶装置に記憶し、最終的に他のデータと共に出力してもよい。
【００２９】
ステップＳ３では、配置された柱に対応する「柱主筋の径、本数、断面内配置データ」とルール１の「四隅の柱主筋の配置ルール」によって四隅の柱主筋の径に相当する径で主筋位置が書き込まれ、ルール１の「四隅以外の柱主筋の配置ルール」によって、他の柱主筋の位置が仮領域として設定される。
【００３０】
ステップＳ４では、配置された梁に対応する「梁主筋の径、本数、断面内配置データ」とルール２の「四隅の梁主筋の配置ルール」によって四隅の梁主筋の径に相当する径で梁主筋位置が書き込まれ、ルール２の「四隅以外の梁主筋の配置ルール」によって、他の梁主筋の位置が梁主筋の径に相当する径で書き込まれる。
【００３１】
ステップＳ５では、ルール３とルール４により、対峙する梁主筋を接続ルールによって梁主筋が接続される。
図４では、異なる幅で異なる主筋本数を有する梁３ａ、梁３ｂが対峙する例を示している。ルール４では、対峙する梁のパターンによりどの主筋を接続するか定められており、この場合は、対峙する梁同士の四隅の梁主筋を連結し、その他の梁主筋は、相互の軸線で近いものと連結するパターンと認識し、図４のとおり図示される。
【００３２】
ステップＳ６ａで、二本の梁が柱部分で交差する場合は、ステップＳ６ｂにおいて、ルール５の「梁が柱部分で交差した場合の梁主筋の配置ルール」に従って、下段になる梁主筋の書き込み線は、上段になる梁主筋の書き込み線により分断される。
例えば、ルール５では、Ｙ１通り芯上の梁か、Ｙ２通り芯上の梁かによって、Ｘ通り芯上の梁との主筋の上下関係が定義されている。なお、梁の取り付け高さデータを取得している場合は、ルール５により取り付け高さを比較し、梁主筋の上下関係を定める場合もある。
【００３３】
ステップＳ７ａで、梁主筋の本数が減少する場合は、ステップＳ７ｂにおいて、ルール７の「梁主筋の本数が減少する場合のルール」に従って、所定の梁主筋が、所定の位置で分断される。
例えば、図６に示すとおり、梁３の端部における梁主筋５１乃至５６は、梁３の中央では無くなり、梁主筋本数が減少する。
この場合、後述するステップ９のルール８により、配筋施工図の梁３の端部で「上２」（数字は丸付き数字）と記された符号が中央部で「上１」（数字は丸付き数字）と表記されることで、当該梁３の上段主筋５２、５３が無くなることが明示される。また、同じく配筋施工図の梁３の端部で「下２」（数字は丸付き数字）と記された符号が中央部で「下１」（数字は丸付き数字）と表記されることで、当該梁３の下段主筋５５、５６が無くなることを明示する。
さらに、上段主筋５１、下段主筋５６については、配筋施工図の梁３の端部で「上１」（数字は丸付き数字）、「下１」（数字は丸付き数字）と記されたものが、中央部で「空白」となることで明示される。
これにより、梁の端部と中央部で梁主筋の本数が変わる場合、どの梁主筋が無くなるのか知ることができる。
また、どの位置で梁主筋を無くすかについては、梁３が掛け渡される柱２と柱２の、一方の柱面から隣の柱面までの間の寸法をＬｏとした場合、Ｌｏ／４に梁主筋の径ｄを１５倍した値を加えたＬｏ／４＋１５ｄを超える位置でカットオフする必要がある。
そこで、ルール７に従って、梁３が掛け渡される柱２と柱２の、一方の柱面から隣の柱面までの間の寸法Ｌｏを自動計算し、その四分の一の寸法Ｌｏ／４、梁主筋の径から１５ｄを算出し、例えば２２６０（Ｌｏ／４＋１５ｄ）と表示する。
これにより、梁の端部と中央部で梁主筋の本数が無くなる場合、一方の柱面から２２６０ｍｍを超えた位置でカットオフすべきことを知ることができる。
なお、カットオフされる主筋の絵柄は、余裕をみて、カットオフすべき寸法を越えた位置で分断される絵柄になっている。
【００３４】
図５は、鉄筋交差部の自動配置の説明図である。この図において、（Ａ）は柱主筋４の自動配置前、（Ｂ）は自動配置後を示している。
ステップＳ８ａで、他の柱主筋４が配置される仮領域が、梁主筋５と交差しない場合は、そのまま柱主筋４の径に相当する径で柱主筋４の位置が書き込まれる。また、梁主筋５と交差する場合（図５（Ａ））は、ステップＳ８ｂにおいて、ルール６の「柱主筋と梁主筋が交差する場合の配置ルール」に従って、図５（Ｂ）のように柱主筋４の位置が移動され書き込まれる。
【００３５】
例えば、ルール６では、柱主筋４の中心が、梁主筋５の中心線に対して右にあるか左にあるかで、偏っている方向にずらす仕組みになっている。柱主筋４の中心と梁主筋５の中心線が完全に重なった場合は、左右の柱主筋の距離を測定し、距離が長い方にずらす。
なお、ルール６では、上記により梁主筋と交差しない位置に柱主筋を配置した段階で、隣合う梁主筋間隔、例えば梁主筋５ａと梁主筋５ｂとの間隔を算出する。そして、その間隔寸法が１．５ｄ（梁主筋の径ｄの１．５倍）以上あるかをチェックする。
梁主筋と柱主筋との間隔が、１．５ｄに満たない部位がある場合、その部位に警告記号を配筋施工図に表示する。この警告記号が配筋施工図に表示され出力された場合、施工管理者は、設計者と対応策を協議し処置を講じることになる。
【００３６】
図６は、梁の配筋情報の表示例を示す図である。
ステップＳ９では、ルール８の「梁主筋の配筋状態表示ルール」にしたがって、上下の配筋本数が表示される。図６に示すように、梁の情報は、１段筋、２段筋の有無・本数が表示される。
【００３７】
図７は、鉄筋の継手位置、カットオフ位置等の表示例を示す図である。
ステップ１０では、ルール９の「梁主筋の継手位置表示ルール」によって、梁主筋５の継手を設けてよい位置の寸法等が表示される。
例えば、梁３が掛け渡される柱２と柱２の、一方の柱面から隣の柱面までの間の寸法をＬｏとした場合、梁の上段主筋は、柱面からＬｏ／４離れたところに主筋の継手を設ける必要がある。
そこで、ステップ１０では、ルール９に従い、梁３が掛け渡される柱２と柱２の、一方の柱面から隣の柱面までの間の寸法Ｌｏを自動計算し、その四分の一の寸法Ｌｏ／４を算出し、例えば１７７５（Ｌｏ／４）と表示する。
これにより、梁３の上段主筋に継手を設ける場合、柱面から１７７４ｍｍ以上離れた位置に継手を設ける必要があることを配筋施工図から知ることができる。
また、梁３の下段主筋に継手を設ける場合は、柱面から梁せい寸法Ｄと同じ長さだけ離れた位置で、かつＬｏ／４以内の位置に継手を設けなければならない。
そこで、ステップ１０では、ルール９に従い、梁３が掛け渡される柱２と柱２の、一方の柱面から隣の柱面までの間の寸法Ｌｏを自動計算し、その四分の一の寸法Ｌｏ／４を算出し、併せて梁せい寸法Ｄを参照し、１７７５（Ｌｏ／４）＋７３０と表示する。
これにより、梁３の下段主筋に継手を設ける場合は、柱面から７３０ｍｍ離れた位置で、かつ１７７４ｍｍの範囲内に継手を設ける必要があることを配筋施工図から知ることができる。
このように、鉄筋施工情報と定義データから「梁主筋の継手位置」が自動的に表示されるので、従来のように躯体施工図や柱・梁リストから手計算する必要もなく、かつ計算ミスなどによる配筋の間違いを防止できる。
【００３８】
図９は配筋施工図の全体、図８は配筋施工図の一部を表すものである。
ステップＳ１１では、ルール１０の「柱主筋と梁主筋の本数、径、フープ筋、スタラップ筋の径、配筋間隔を表示するルール」によって柱主筋と梁主筋の本数、径、フープ筋、スタラップ筋の径、配筋間隔が表示される。
図８は、図６、図７と同様に、梁主筋の上段筋、下段筋の継手位置および梁主筋の本数が端部と中央で異なる場合のカットオフ位置を数値で表している。なお、当該数値が認識できる表現であれば、本例に限定されるものではない。
そして、図８のとおり、ルール１０により柱２（Ｃ４１）の配筋情報が（Ｂ）により表示される。
この場合、Ｃ４１／２Ｆが図８の柱２（Ｃ４１）の配筋状態を表すもので、Ｃ４１／１Ｆは、その下階の柱の配筋状態、Ｃ４１／３Ｆは、その上階の柱の配筋状態を表している。
例えば、Ｃ４１２Ｆの□−Ｄ１３−１００＠は、フープ筋の鉄筋径が１３ｍｍで、１００ｍｍ間隔で設けること表しており、  （６）１６−Ｄ２５（６）は、柱の主筋の径が２５ｍｍであり、本数が１６本で、図面上左右に並ぶ主筋が６本ずつであることを表している。９５０×９２０は、柱の大きさを表わす。
また、Ｃ４１／３Ｆの枠が小さいのは、柱の大きさが９５０×９２０から９５０×９００と小さくなることを視覚的に表現するためである。
次に、梁３（Ｇ４１）の配筋情報が（Ｃａ）（Ｃｂ）により表される。
Ｚ２／Ｂ１Ｘ１／Ｇ４１は、梁３（Ｇ４１）の端部の配筋状況で、Ｚ２／中央／Ｇ４１は、梁３（Ｇ４１）の中央部の配筋状況を表す。
例えば、Ｚ２／Ｂ１Ｘ１／Ｇ４１で、７７０×７３０  ｈ±０は、梁の大きさを表し、床レベルとの差が±０であることを表している。８−Ｄ２９  ５−Ｄ２９は、梁主筋の上段筋が８本で主筋径が２９ｍｍ、下段筋が５本で主筋径が２９ｍｍであることを表す。３−Ｄ１３−１００＠は、梁のスタラップ筋の径が１３ｍｍで、１００ｍｍ間隔で配筋されることを表し、筆頭の３という数字で拘束筋があることを表す。５本通しは、後に詳述するが、端部から中央まで５本の主筋はカットオフすることなく通すことを表している。
Ｚ２／中央／Ｇ４１は、上記と同じ内容を表現しているが、梁主筋の情報が５−Ｄ２９  ５−Ｄ２９となっており、端部で８本だった梁上段主筋が、中央では５本になることを表している。
そこで、図８をみると、ルール８の「梁主筋の配筋状態表示ルール」によって表示された「上２１１１２  下１１１１Ｏ１」（数字は丸付き数字）によって、端部の８本の上段主筋は、６本を平行に配筋し、梁の両側が２段に配筋され、計８本になることがわかる。また、中央部については、「上１１１１  １  下１１１１  １」（数字は丸付き数字）であるから、一方辺から二番目の梁主筋と両端の２段目主筋を除き、５本の梁主筋が通しになることがわかる。
なお、配筋情報の表示方法については、条例に限定されるものではなく、図６に示すような梁の断面図を併せて表示するものであってもよい。
また、本発明は、配筋施工図として紙に出力することを前提にしているが、出力方法については、携帯用パソコンなどのディスプレイに表示する方法でもよく、例えば、ディスプレイに配筋施工図を表示し、画面の拡大、移動により所定部を表示し、所定の柱や梁を選択すると上述の配筋情報が表示されるものであってもよい。
【００３９】
上述した本発明によれば、以下の効果が得られる。
１．施工品質の均一化・生産性の向上
配筋に必要な情報をすべて含む配筋施工図により、情報が一元化され、作業者・検査員の熟練度に影響されることなく、作業所における施工品質の均一化と生産性の向上を図ることができる。
２．早期の施工納まり検討（設計へのフィードバック）
構造計算データが完成した段階で、本発明の自動作成装置により、納まりが悪い位置を表示させることができる。それにより、早期から施工納まり検討をスタートすることができる。
３．施工ミスの防止
柱については上階の配筋情報も記載されているうえ、柱主筋・フープの材質・径・本数・ピッチの変化も視覚的に分かりやすく表現されており、梁についても組み手や２段筋の配置などが明確に表示されているため、思い込みなどによる施工ミスを防止することができる。
４．配筋施工図の作成業務の省力化
パソコンの簡単な操作で配筋施工図の作成ができ、業務を省力化することができる。また専門工事業者にとっても配筋仕様を盛り込んだ長さの表示により、加工図作成業務の効率化が図れる。
【００４０】
なお、本発明の範囲は上述した実施形態に限定されず、特許請求の範囲の記載によって示され、さらに特許請求の範囲の記載と均等の意味および範囲内でのすべての変更を含むものである。
【符号の説明】
【００４１】
１  通り芯、２  柱、３  梁、４  柱主筋、５  梁主筋
【図１】
0005395543.tif 000002
【図２】
0005395543.tif 000003
【図３】
0005395543.tif 000004
【図４】
0005395543.tif 000005
【図５】
0005395543.tif 000006
【図６】
0005395543.tif 000007
【図７】
0005395543.tif 000008
【図８】
0005395543.tif 000009
【図９】
0005395543.tif 000010